(57)【要約】【課題】撮影シーンに適したズーム倍率を設定する。【解決手段】Ｓ３では、ズーム制御部２０ｂは、モード設定部２０ａの設定した撮影モードを確認する。そして、確認された撮影モードに対応するズーム位置をＥＥＰＲＯＭ１４６から読み出す。Ｓ４では、ズーム制御部２０ｂは、ＥＥＰＲＯＭ１４６から読み出したズーム位置にズームレンズ１０１ａが移動するよう、モータドライバ６２を介してズーム用モータ１１０を駆動する。この結果、例えば、アイコン１２３−２（動画モード）、１２３−３（夜景モード）、１２３−５（風景モード）もしくは１２３−６（人物モード）が位置合わせマーク９７にあれば、ズームレンズ１０１ａはＷ端に移動する。あるいは、アイコン１２３−４（スポーツモード）が位置合わせマーク９７にあれば、ズームレンズ１０１ａはＴ端に移動する。【選択図】  図７
2007178453.tif 000002
【特許請求の範囲】
【請求項１】
フォーカスレンズ及びズームレンズを含む撮影レンズによって結像した被写体像を記録する記録部、被写体を撮影する時の撮影モードを設定するモード設定部、前記ズームレンズを駆動して広角側と望遠側との間で移動させるズーム駆動部、前記ズーム駆動部の駆動を制御するズーム制御部を備える撮像装置であって、
前記モード設定部に設定可能な撮影モードに予め対応づけられたモードズーム位置を記憶するズーム位置記憶部を備え、
前記ズーム制御部は前記モード設定部に設定された所望の撮影モードに予め対応づけられたモードズーム位置を前記ズーム位置記憶部から読み出し、前記読み出されたモードズーム位置に前記ズームレンズが移動するよう前記ズーム駆動部を制御する撮像装置。
【請求項２】
前記ズーム位置記憶部は撮影モードと無関係な前記ズームレンズの初期ズーム位置を記憶し、
前記初期ズーム位置または前記モードズーム位置のいずれか一方の選択操作を受け付けるズーム位置選択部をさらに備え、
前記ズーム制御部は、前記ズーム位置選択部が前記初期ズーム位置を選択した場合は前記初期ズーム位置を前記ズーム位置記憶部から読み出し、前記ズーム位置選択部が前記モードズーム位置を選択した場合は前記モード設定部に設定された所望の撮影モードに予め対応づけられたモードズーム位置を前記ズーム位置記憶部から読み出し、前記読み出された初期ズーム位置またはモードズーム位置に前記ズームレンズが移動するよう前記ズーム駆動部を制御する請求項１に記載の撮像装置。
【請求項３】
前記ズーム位置記憶部は、スポーツモードには望遠側端点位置を対応づけて記憶する請求項１または２に記載の撮像装置。
【請求項４】
前記ズーム位置記憶部は、人物モード、風景モード、夜景モード、動画モード、サンセットモード、料理モードもしくは誕生日モードには広角側端点位置をそれぞれ対応づけて記憶する請求項１〜３のいずれかに記載の撮像装置。
【請求項５】
前記ズーム駆動部はモータまたはアクチュエータで構成される請求項１〜４のいずれかに記載の撮像装置。
【請求項６】
フォーカスレンズ及びズームレンズを含む撮影レンズによって結像した被写体像を記録する記録部、被写体を撮影する時の撮影モードを設定するモード設定部、前記ズームレンズを駆動して広角側と望遠側との間で移動させるズーム駆動部、前記ズーム駆動部の駆動を制御するズーム制御部を備える撮像装置で用いられる撮像方法あって、
前記モード設定部に設定可能な撮影モードに予め対応づけられたモードズーム位置を記憶媒体に記憶するステップと、
前記モード設定部に設定された所望の撮影モードに予め対応づけられたモードズーム位置を前記記憶媒体から読み出し、前記読み出されたモードズーム位置に前記ズームレンズが移動するよう前記ズーム駆動部を制御するステップと、
を含む撮像方法。
【発明の詳細な説明】
【技術分野】
【０００１】
本発明はズーム機能を備えた撮像装置に関する。
【背景技術】
【０００２】
従来、電源起動時にズームレンズを使い勝手のよい位置に移動させるための技術が様々開発されている。例えば特許文献１によると、モニタに起動時ズーム位置設定画面を表示する。たとえば、複数の焦点距離の中からＷ端を選択し、ズームレンズの起動時ズーム位置として記憶する。メインスイッチのオン操作時に起動時ズーム位置としてＷ端を読み出し、ズームレンズをその起動時ズーム位置であるＷ端まで駆動する。また、例えば特許文献２によると、電源オフ前に記憶したズームレンズの絶対位置を電源投入後の絶対位置にする制御を行う。
【０００３】
また、従来、被写体の撮影状況に応じて撮影モードを選択して撮影可能な撮像装置が存在する。例えば特許文献３によると、この撮影モードは、例えば撮影シーンに適したシャッタスピード、絞り値、ストロボ発光の有り無し等を設定するためのものであり、風景を撮影するのに適した風景モードやスポーツシーンを撮影するのに適したスポーツモード等、撮影シーンに応じた様々な撮影モードがある。
【特許文献１】特開２００１−２０８９５３号公報
【特許文献２】特開２００５−２９２６５０号公報
【特許文献３】特開２００４−１２０２２５号公報
【発明の開示】
【発明が解決しようとする課題】
【０００４】
特許文献１あるいは２の技術を特許文献３の撮像装置に適用したと仮定すると、様々な撮影モードが選択されても一律に起動時ズーム位置へズームレンズを駆動することになる。しかし、予め設定された起動時ズーム位置が実際に設定された撮影モードの想定する撮影シーンに適しているとは限らない。
【０００５】
本発明はこのような問題点に鑑みてなされたもので、撮影シーンに適したズーム倍率を設定することを目的とする。
【課題を解決するための手段】
【０００６】
上記課題を解決するため、本発明に係る撮像装置は、フォーカスレンズ及びズームレンズを含む撮影レンズによって結像した被写体像を記録する記録部、被写体を撮影する時の撮影モードを設定するモード設定部、ズームレンズを駆動して広角側と望遠側との間で移動させるズーム駆動部、ズーム駆動部の駆動を制御するズーム制御部を備える撮像装置であって、モード設定部に設定可能な撮影モードに予め対応づけられたモードズーム位置を記憶するズーム位置記憶部を備え、ズーム制御部はモード設定部に設定された所望の撮影モードに予め対応づけられたモードズーム位置をズーム位置記憶部から読み出し、読み出されたモードズーム位置にズームレンズが移動するようズーム駆動部を制御する。
【０００７】
この発明によると、任意に設定された撮影モードに適したズーム位置までズームレンズが即座に移動し、撮影シーンに適したズーム倍率でただちに撮影を開始することができる。
【０００８】
ズーム位置記憶部は撮影モードと無関係なズームレンズの初期ズーム位置を記憶し、初期ズーム位置またはモードズーム位置のいずれか一方の選択操作を受け付けるズーム位置選択部をさらに備え、ズーム制御部は、ズーム位置選択部が初期ズーム位置を選択した場合は初期ズーム位置をズーム位置記憶部から読み出し、ズーム位置選択部がモードズーム位置を選択した場合はモード設定部に設定された所望の撮影モードに予め対応づけられたモードズーム位置をズーム位置記憶部から読み出し、読み出された初期ズーム位置またはモードズーム位置にズームレンズが移動するようズーム駆動部を制御するようにしてもよい。
【０００９】
すなわち、初期ズーム位置が選択されていれば、こちらを優先し、モードズーム位置は使用しない。
【００１０】
なお一例として、ズーム位置記憶部は、スポーツモードには望遠側端点位置を、人物モード、風景モード、夜景モード、動画モード、サンセットモード、料理モードもしくは誕生日モードには広角側端点位置をそれぞれ対応づけて記憶する。
【００１１】
また、一例として、ズーム駆動部はモータまたはアクチュエータなどの各種駆動手段で構成される。
【００１２】
本発明に係る撮像方法は、フォーカスレンズ及びズームレンズを含む撮影レンズによって結像した被写体像を記録する記録部、被写体を撮影する時の撮影モードを設定するモード設定部、ズームレンズを駆動して広角側と望遠側との間で移動させるズーム駆動部、ズーム駆動部の駆動を制御するズーム制御部を備える撮像装置で用いられる撮像方法あって、モード設定部に設定可能な撮影モードに予め対応づけられたモードズーム位置を記憶媒体に記憶するステップと、モード設定部に設定された所望の撮影モードに予め対応づけられたモードズーム位置を記憶媒体から読み出し、読み出されたモードズーム位置にズームレンズが移動するようズーム駆動部を制御するステップと、を含む。
【発明の効果】
【００１３】
この発明によると、任意に設定された撮影モードに適したズーム位置までズームレンズが即座に移動し、撮影シーンに適したズーム倍率でただちに撮影を開始することができる。
【発明を実施するための最良の形態】
【００１４】
以下、添付した図面を参照し本発明の好ましい実施の形態を説明する。
【００１５】
＜第１実施形態＞
図１は、本発明の好ましい実施形態に係るデジタルカメラ（以下カメラと略す）１００の正面図である。
【００１６】
カメラ１００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００１７】
レンズ鏡胴６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００１８】
またカメラ１００には、非撮影時には撮影レンズ１０１の前面を覆って撮影レンズ１０１と外界とを遮ることで撮影レンズ１０１を保護する状態をつくり出すとともに、撮像時には撮影レンズを外界に露出するレンズカバー６１が設けられている。
【００１９】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。この図ではレンズカバー６１は開放状態となっている。
【００２０】
カメラ１００の上面には、中央部分にレリーズスイッチ１０４の配備されたモードダイヤル１２３と電源スイッチ１２１とが配備されており、正面には、ストロボ１０５ａ、ＡＦ補助光ランプ１０５ｂ、セルフタイマランプ１０５ｃ等が配備されている。
【００２１】
図２はカメラ１００の背面図である。カメラ１００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００２２】
カメラ１００の背面には、画像表示ＬＣＤ１０２、切替レバー１２２、十字キー１２４、情報位置指定キー１２６等も設けられている。十字キー１２４は、上下左右がそれぞれ表示明るさ調整／セルフタイマ／マクロ撮影／ストロボ撮影を設定する操作系である。後述するが、十字キー１２４の下キーを押下することで、セルフタイマ回路８３の計時完了後にメインＣＰＵ２０がＣＣＤ１３２にシャッタ動作を行わせるセルフ撮影モードの設定を行える。
【００２３】
切替レバー１２２は画像の撮影と再生との切り替えを自在に行うスイッチであって、撮影を行なうときには切替レバー１２２が「撮影」側に切り替えられ、再生を行なうときには切替レバー１２２が「再生」側に切り替えられる。
【００２４】
図３は、モードダイヤル１２３を上面から見た図である。モードダイヤル１２３は、回動可能なダイヤル式のスイッチで構成されている。モードダイヤル１２３には、撮影シーンを直感的に認識可能なマークであるアイコンが印刷されている。モードダイヤル１２３は、図中矢印方向に回転可能であり、撮影者は、撮影しようとする撮影シーンに近いアイコンが位置合わせマーク９７の位置にくるようにモードダイヤル１２３を回転させることにより、撮影モードを選択することができる。ただし、ＯＳＤ信号発生回路１４８ａにより生成された撮影モード設定メニューから任意の撮影モードを選択させてもよい。
【００２５】
撮影モードの種類には、例えば、静止画を撮影する静止画の撮影モードと、動画を撮影する動画の撮影モードとがあり、更に静止画の撮影モードには、シャッタスピード、絞り値等の撮影条件を自動で設定するオートモード、それらの撮影条件の設定をマニュアルで行うマニュアルモード、人物撮影、風景撮影、スポーツ撮影、夜景撮影、夕日撮影、料理撮影のように各撮影シーンに応じて適切な撮影条件に自動設定する各撮影モード（人物モード、風景モード、スポーツモード、夜景モード、サンセットモード、料理モード）などがある。
【００２６】
この図では、アイコン１２３−１は、シャッタスピードと絞り値を自由に設定できるマニュアルモードに対応する。アイコン１２３−２は、動画を撮影する動画モードに対応する。アイコン１２３−３は、夜景を撮影するのに適した夜景モードに対応する。アイコン１２３−４は、スポーツシーン等の動きの速い被写体を撮影するのに適したスポーツモードに対応する。アイコン１２３−５は、風景を撮影するのに適した風景モードに対応する。アイコン１２３−６は、人物を撮影するのに適した人物モードに対応する。アイコン１２３−７は、様々な撮影シーンに適応した撮影が可能なオートモードに対応する。アイコン１２３−８は、シャッタスピード／絞り以外の各種設定ができるプログラムオートモードに対応する。アイコン１２３−９は、絞り値を設定できる絞り優先オートモードに対応する。アイコン１２３−１０は、シャッタスピードを設定できるシャッタ優先オートモードに対応する。
【００２７】
夜景モードでは、周囲が夜景等の暗い場所でストロボ１０５ａを発光しない状態で撮影を行なう場合に使用される。夜景モードでは、ＣＣＤ１３２のシャッタ速度が例えば１／６０秒よりも長い露光状態となる（ロングシャッタモード）。詳細は省略するが、その他の撮影モードにおいても、各撮影シーンに適した撮影条件が設定される。
【００２８】
図４はカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、撮影と再生とを自在に切り替える切替レバー１２２、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００２９】
また、カメラ１００には、撮影画像や再生画像等を表示するための画像表示ＬＣＤ１０２と、操作の手助けを行なうための操作ＬＣＤ表示１０３が備えられている。
【００３０】
このカメラ１００にはレリーズスイッチ１０４が配備されている。このレリーズスイッチ１０４によって撮影の開始指示がメインＣＰＵ２０へと伝えられる。このカメラ１００では切替レバー１２２によって撮影と再生との切り替えが自在になっていて、撮影を行なうときにはユーザによって切替レバー１２２が撮影側に切り替えられ、再生を行なうときには切替レバー１２２が再生側に切り替えられる。また、カメラ１００には、閃光を発光する閃光発光管１０５ａを有する閃光発光装置が配備されている。
【００３１】
また、カメラ１００には、撮影レンズ１０１と、絞り１３１と、それら撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、切替レバー１２２が撮影側に切り替えられたことに応じ、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００３２】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００３３】
また、カメラ１００には、ＣＣＤセンサ１３２からのアナログ画像信号が表わす被写体像のホワイトバランスを合わせるとともにその被写体像の階調特性における直線の傾き（γ）を調整し、さらにアナログ画像信号を増幅する増幅率可変の増幅器を含む白バランス・γ処理部１３３が備えられている。
【００３４】
さらに、カメラ１００には、白バランス・γ処理部１３３からのアナログ信号をディジタルのＲ，Ｇ，Ｂ画像データにＡ／Ｄ変換するＡ／Ｄ部１３４と、そのＡ／Ｄ部１３４からのＲ，Ｇ，Ｂ画像データを格納するバッファメモリ１３５が備えられている。
【００３５】
Ａ／Ｄ部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００３６】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００３７】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００３８】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ部１３４を制御する制御信号、および通信制御部１３９を制御する制御信号を出力する。また、このＣＧ部１３６には、測光・測距用ＣＰＵ１３７からの制御信号が入力される。
【００３９】
測光・測距用ＣＰＵ１３７は、ズーム用モータ１１０、フォーカス用モータ１１１、絞り調整を行う絞り用モータ１１２を制御してズームレンズ１０１ａ、フォーカスレンズ１０１ｂ、絞り１３１をそれぞれ駆動することにより測距を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００４０】
なお、ズームレンズ１０１ａ、フォーカスレンズ１０１ｂ、絞り１３１の駆動源は、ズーム用モータ１１０、フォーカス用モータ１１１、絞り用モータ１１２のような各種モータに限定する必然性はなく、アクチュエータなどであってもよい。
【００４１】
測光・測距用ＣＰＵ１３７は、レリーズスイッチ１０４が半押し（Ｓ１オン）されると、ＣＣＤ１３２によって周期的（１／30秒から１／60秒ごと）に得られる画像データに基づいて被写体の明るさの測光（ＥＶ値の算出）を行う。
【００４２】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００４３】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００４４】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００４５】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００４６】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ａを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００４７】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００４８】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１１が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００４９】
充電・発光制御部１３８は，閃光発光管１０５ａを発光させるために電源電池６８からの電力の供給を受けて図示しない閃光発光用のコンデンサを充電したり、その閃光発光管１０５ａの発光を制御する。
【００５０】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ１０５ｃやＡＦ補助光ランプ１０５ｂへの電流供給制御を行い、所望の発光量が所望のタイミングで得られるように制御する。
【００５１】
なお、セルフタイマランプ１０５ｃはＬＥＤで構成してもよく、ＡＦ補助光ランプ１０５ｂを構成するＬＥＤと共通にしてもよい。
【００５２】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００５３】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行なう通常のカメラが有するＩＳＯ感度１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００５４】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００５５】
また、カメラ１００には、メインＣＰＵ２０と、ＥＥＰＲＯＭ１４６と、ＹＣ／ＲＧＢ変換部１４７と、表示用ドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００５６】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００５７】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００５８】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００５９】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００６０】
ＲＴＣ（Real Time Clock）１５は計時専用のチップであり、電源電池６８やＡＣアダプタ４８からの給電がオフされていてもバックアップ電池から電源供給を受けて継続的に動作する。
【００６１】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００６２】
カメラ１００にはリモコン受光回路６３が設けられている。リモコン受光回路６３は、リモコン６０から入射した赤外線信号をデジタル制御信号に変換してメインＣＰＵ２０へ出力する。メインＣＰＵ２０は、リモコン受光回路６３から入力したデジタル制御信号に応じて各種動作を制御する。
【００６３】
切替レバー１２２により「再生」側が選択されると、メモリカード２００に記録されている最終の画像ファイル（最後に記録されたファイル）の圧縮データが読み出される。最後の記録に係るファイルが静止画ファイルの場合、この読み出された画像圧縮データは、圧縮・伸長＆ＩＤ抽出部１４３を介して非圧縮のＹＣ信号に伸長され、バッファメモリ１３５に保存される。バッファメモリ１３５に保存されたＹＣ信号は、ＹＣ／ＲＧＢ変換部１４７に加えられる。ＹＣ／ＲＧＢ変換部１４７は、入力するＹＣ信号からＮＴＳＣ方式のカラー複合映像信号を作成し、これを表示用ドライバ１４８を経由して画像表示ＬＣＤ１０２に出力する。これにより、液晶パネル７１にはメモリカード２００に記録されている最終コマのコマ画像が表示される。
【００６４】
その後、十字キー１２４の右キー（順コマ送りスイッチ）が押されると、順方向にコマ送りされ、左キー（逆コマ送りスイッチ）が押されると、逆方向にコマ送りされる。そして、コマ送りされたコマ位置の画像ファイルがメモリカード２００から読み出され、上記と同様にしてコマ画像が液晶パネル７１で再生される。尚、最終コマのコマ画像が表示されている状態で順方向にコマ送りされると、メモリカード２００に記録されている１コマ目の画像ファイルが読み出され、１コマ目のコマ画像が液晶パネル７１で再生される。
【００６５】
図５はメインＣＰＵ２０の実行する主要なプログラムをブロックで概念的に示している。メインＣＰＵ２０は、プログラムであるモード設定部２０ａ、ズーム制御部２０ｂを実行する。これらのプログラムはＥＥＰＲＯＭ１４６に記憶されており、ＣＰＵ２０により適宜ＲＡＭ１４９に読み出されて実行される。
【００６６】
モード設定部２０ａは、位置合わせマーク９７の位置にきたモードダイヤル１２３のアイコンに対応した撮影シーンに適した撮影条件（撮影モード）を設定する。
【００６７】
ズーム制御部２０ｂは、モード設定部２０ａの設定した撮影モードに対応するズーム位置をＥＥＰＲＯＭ１４６から読み出し、そのズーム位置にズームレンズ１０１ａが移動するよう、モータドライバ６２を介してズーム用モータ１１０を駆動する。
【００６８】
図６はＥＥＰＲＯＭ１４６に記憶されている、撮影モードとズーム位置との対応関係を示したズーム位置設定テーブルの概念説明図である。ズーム位置設定テーブルは、スポーツモードには望遠側端点位置（Ｔ端）を、人物モード・風景モード・夜景モード・サンセットモード・料理モード、誕生日モードもしくは動画モードには広角側端点位置（Ｗ端）をそれぞれ対応づけて記憶する。
【００６９】
ただし、図示のズーム位置はあくまで一例であって、その他の値をユーザが任意に設定・記憶させることができる。例えば、人物モードに対応づけて「35mm換算で50mm程度の撮影倍率に相当するズーム位置」などを記憶してもよい。あるいはオートモードに対応づけてデフォルトのホームポジションを記憶してもよい。
【００７０】
以下、図７のフローチャートに従い、本発明の好ましい第１の実施形態に係る撮影処理の流れを説明する。このフローチャートはカメラ１００の実行する処理手順ないしカメラ１００のメインＣＰＵ２０の実行するプログラムの処理ステップを示す。
【００７１】
まず、Ｓ１では、撮影者が任意に電源スイッチ１２１をオンにする。
【００７２】
次に、Ｓ２では、切替レバー１２２が「撮影」側もしくは「再生」側のいずれに設定されているかを判断する。切替レバー１２２が「撮影」側に設定されている場合はＳ３に移行する。「再生」側に設定されている場合はＳ６の画像の再生モードに移行する。
【００７３】
Ｓ３では、ズーム制御部２０ｂは、モード設定部２０ａの設定した撮影モードを確認する。そして、確認された撮影モードに対応するズーム位置をＥＥＰＲＯＭ１４６から読み出す。
【００７４】
Ｓ４では、ズーム制御部２０ｂは、ＥＥＰＲＯＭ１４６から読み出したズーム位置にズームレンズ１０１ａが移動するよう、モータドライバ６２を介してズーム用モータ１１０を駆動する。
【００７５】
この結果、例えば、アイコン１２３−２（動画モード）、１２３−３（夜景モード）、１２３−５（風景モード）もしくは１２３−６（人物モード）が位置合わせマーク９７にあれば、ズームレンズ１０１ａはＷ端に移動する。あるいは、アイコン１２３−４（スポーツモード）が位置合わせマーク９７にあれば、ズームレンズ１０１ａはＴ端に移動する。
【００７６】
Ｓ５では、レリーズスイッチ１０４の押下に応じて記録用画像の取得動作を行う。なお、当然ながら、必要に応じてズームスイッチ１２７を操作することで任意にズーム倍率を変更することができる。
【００７７】
この処理により、切替レバー１２２を「撮影」側に切り替えると、モードダイヤル１２３の回動で任意に設定された撮影モードの想定する撮影シーンに適したズーム位置までズームレンズ１０１ａが即座に移動し、撮影シーンに適したズーム倍率でただちに撮影を開始することができる。
【００７８】
＜第２実施形態＞
従来例のように、前回の電源オフ時までに予め撮影モードとは無関係に記憶された初期ズーム位置を、電源オン時の初期位置にするような設定がされていれば、このズーム位置への移動を優先させる排他制御を行ってもよい。
【００７９】
図８は本発明の好ましい第２の実施形態に係る撮影処理の流れを示すフローチャートである。
【００８０】
まず、Ｓ１１では、撮影者が任意に電源スイッチ１２１をオンにする。
【００８１】
次に、Ｓ１２では、切替レバー１２２が「撮影」側もしくは「再生」側のいずれに設定されているかを判断する。切替レバー１２２が「撮影」側に設定されている場合はＳ１３に移行する。「再生」側に設定されている場合はＳ１９の画像の再生モードに移行する。
【００８２】
Ｓ１３では、予め撮影モードと無関係に、前回の電源オフまでにＥＥＰＲＯＭ１４６に記憶された初期ズーム位置（前回電源オフ時ズーム位置）を、電源オン時の初期位置にするような設定が操作部１２０から入力されているか否かを判断する。該設定がされている場合はＳ１６に移行し、該設定がされていない場合はＳ１４に移行する。
【００８３】
Ｓ１４では、ズーム制御部２０ｂは、モード設定部２０ａの設定した撮影モードを確認する。
【００８４】
Ｓ１５では、確認された撮影モードに対応するズーム位置（撮影モード対応ズーム位置）をＥＥＰＲＯＭ１４６から読み出す。
【００８５】
Ｓ１６では、ＥＥＰＲＯＭ１４６に記憶された前回電源オフ時ズーム位置を読み出す。
【００８６】
Ｓ１７では、ズーム制御部２０ｂは、ＥＥＰＲＯＭ１４６から読み出した撮影モード対応ズーム位置または前回電源オフ時ズーム位置にズームレンズ１０１ａが移動するよう、モータドライバ６２を介してズーム用モータ１１０を駆動する。そして、Ｓ１８に移行する。
【００８７】
Ｓ１８では、レリーズスイッチ１０４の押下に応じて記録用画像の取得動作を行う。
【００８８】
この処理により、切替レバー１２２を「撮影」側に切り替えると、モードダイヤル１２３の回動で任意に設定された撮影モードに適したズーム位置までズームレンズ１０１ａが即座に移動し、撮影シーンに適したズーム倍率でただちに撮影を開始することができる。
【００８９】
このように、前回の電源オフ時までにＥＥＰＲＯＭ１４６に記憶されたズーム位置か、あるいは撮影モードに対応したズーム位置のいずれか一方を、電源オン時に選択的・排他的に設定させることができる。
【図面の簡単な説明】
【００９０】
【図１】デジタルカメラの正面図
【図２】デジタルカメラの背面図
【図３】モードダイヤルの上面図
【図４】デジタルカメラのブロック構成図
【図５】メインＣＰＵの実行するプログラムをブロックで概念的に示した図
【図６】ズーム位置設定テーブルの概念説明図
【図７】第１実施形態に係る撮影処理の流れを示すフローチャート
【図８】第２実施形態に係る撮影処理の流れを示すフローチャート
【符号の説明】
【００９１】
１４：発光制御ＣＰＵ、１７：ＬＥＤ群、１９：ＬＥＤドライバ、１６：通信用発光装置、２０：メインＣＰＵ、６０：レンズ鏡胴、６１：レンズカバー、６２：モータドライバ、６３：赤外線受光回路、１０１：撮影レンズ、１０１ａ：ズームレンズ、１０１ｂ：フォーカスレンズ、１１０：ズーム用モータ、１１１：フォーカス用モータ、１１２：絞り用モータ、１１４：レンズカバー用モータ、１２７：ズームスイッチ、１３１：絞り、１３２：ＣＣＤ、１３４：Ａ／Ｄ変換部、１５０：ＡＦ検出部、１５１：ＡＥ演算部、２０ａ：モード設定部、２０ｂ：ズーム制御部
【図１】
2007178453.tif 000003
【図２】
2007178453.tif 000004
【図３】
2007178453.tif 000005
【図４】
2007178453.tif 000006
【図５】
2007178453.tif 000007
【図６】
2007178453.tif 000008
【図７】
2007178453.tif 000009
【図８】
2007178453.tif 000010